【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
プリンタ装置と接続され、撮像した画像を前記プリンタ装置を制御して印刷可能な画像処理装置であって、
画像を撮像する撮像手段と、
前記撮像手段により撮像された画像に前記撮像が行われた日付に関する日付情報を合成するか否かの設定を受け付ける設定受付手段と、
前記受け付けた設定に基づき、前記日付情報を前記撮像手段により撮像された画像に合成する合成手段と、
前記撮像された画像に日付情報が合成されたか否かを識別し前記プリンタ装置の印刷条件を制限するための識別情報を前記受け付けた設定に基づき生成して前記撮像された画像のヘッダに付加する識別情報生成手段と、
前記識別情報が付加されたヘッダを有する画像を前記プリンタ装置へ送信する送信手段と、
を備えることを特徴とする画像処理装置。
【請求項２】
前記識別情報に基づいて前記画像に前記日付情報が合成されたか否かを判定する第１の判定手段と、
前記第１の判定手段において、前記画像に前記日付情報が合成されたと判定された場合に、前記プリンタ装置における前記日付情報の前記画像への合成を抑制するように印刷条件を設定する印刷条件設定手段と
を更に備え、
前記送信手段は前記画像と共に前記設定された印刷条件を送信することを特徴とする請求項１に記載の画像処理装置。
【請求項３】
前記識別情報に基づいて前記画像に前記日付情報が合成されたか否かを判定する第１の判定手段と、
前記第１の判定手段において、前記画像に前記日付情報が合成されていないと判定された場合に、前記プリンタ装置において前記日付情報を前記画像に合成するか否かについて予め定められた印刷条件を設定する印刷条件設定手段と
を更に備え、
前記送信手段は前記画像と共に前記設定された印刷条件を送信することを特徴とする請求項１に記載の画像処理装置。
【請求項４】
前記識別情報には、前記画像中で前記日付情報が合成される位置情報が含まれる請求項１乃至３のいずれか１項に記載の画像処理装置。
【請求項５】
前記画像の印刷領域の設定を受け付ける印刷領域設定手段と、
前記設定された印刷領域と前記位置情報とに基づいて、前記日付情報が前記設定された印刷領域内に存在するかどうかを判定する第２の判定手段と
を更に備え、
前記第２の判定手段において、前記日付情報が前記設定された印刷領域内に存在すると判定された場合に、前記印刷条件設定手段は前記プリンタ装置における前記日付情報の前記画像への合成が抑制されるように印刷条件を設定することを特徴とする請求項４に記載の画像処理装置。
【請求項６】
前記画像の印刷領域の設定を受け付ける印刷領域設定手段と、
前記設定された印刷領域と前記位置情報とに基づいて、前記日付情報が前記設定された印刷領域内に存在するかどうかを判定する第２の判定手段と
を更に備え、
前記第２の判定手段において、前記日付情報が前記設定された印刷領域内に存在しないと判定された場合に、前記印刷条件設定手段は前記プリンタ装置における前記日付情報の前記画像への合成するか否かについて予め設定された印刷条件を設定することを特徴とする請求項４に記載の画像処理装置。
【請求項７】
撮像した画像を印刷可能な画像処理装置であって、
画像を撮像する撮像手段と、
前記撮像手段により撮像された画像に前記撮像が行われた日付に関する日付情報を合成するか否かの設定を受け付ける設定受付手段と、
前記受け付けた設定に基づき、前記日付情報を前記撮像手段により撮像された画像に合成する合成手段と、
前記撮像された画像に日付情報が合成されたか否かを識別し印刷条件を制限するための識別情報を前記受け付けた設定に基づき生成して前記撮像された画像のヘッダに付加する識別情報生成手段と、
前記識別情報が付加されたヘッダを有する画像を印刷する印刷手段と
を備えることを特徴とする画像処理装置。
【請求項８】
前記印刷手段は、
前記識別情報に基づいて前記画像に前記日付情報が合成されたか否かを判定する第１の判定手段を更に備え、
前記第１の判定手段において、前記画像に前記日付情報が合成されたと判定された場合に、前記画像の印刷において前記日付情報の前記画像への合成を抑制することを特徴とする請求項７に記載の画像処理装置。
【請求項９】
前記印刷手段は、
前記識別情報に基づいて前記画像に前記日付情報が合成されたか否かを判定する第１の判定手段を更に備え、
前記第１の判定手段において、前記画像に前記日付情報が合成されていないと判定された場合に、前記日付情報を前記画像に合成するか否かについて予め定められた印刷条件に従って前記画像の印刷を行うことを特徴とする請求項７に記載の画像処理装置。
【請求項１０】
前記識別情報には、前記画像中で前記日付情報が合成される位置情報が含まれることを特徴とする請求項７乃至９のいずれか１項に記載の画像処理装置。
【請求項１１】
前記画像の印刷領域の設定を受け付ける印刷領域設定手段と、
前記設定された印刷領域と前記位置情報とに基づいて、前記日付情報が前記設定された印刷領域内に存在するかどうかを判定する第２の判定手段と
を更に備え、
前記印刷手段は、前記第２の判定手段において前記日付情報が前記設定された印刷領域内に存在すると判定された場合に、前記画像の印刷において前記日付情報の前記画像への合成を抑制することを特徴とする請求項１０に記載の画像処理装置。
【請求項１２】
前記画像の印刷領域の設定を受け付ける印刷領域設定手段と、
前記設定された印刷領域と前記位置情報とに基づいて、前記日付情報が前記設定された印刷領域内に存在するかどうかを判定する第２の判定手段と
を更に備え、
前記印刷手段は、前記第２の判定手段において前記日付情報が前記設定された印刷領域内に存在しないと判定された場合に、前記日付情報の前記画像への合成するか否かについて予め設定された印刷条件に従って前記画像の印刷を行う請求項１０に記載の画像処理装置。
【請求項１３】
画像を印刷可能なプリンタ装置であって、
前記画像に、前記画像の撮像が行われた日付に関する日付情報が合成されているかを判定する判定手段と、
前記判定手段において前記画像に前記日付情報が合成されたと判定された場合に、前記プリンタ装置における前記日付情報の前記画像への合成を抑制するように印刷条件を設定する印刷条件設定手段と
前記設定された印刷条件に基づいて印刷を行う印刷手段と
を備えることを特徴とするプリンタ装置。
【請求項１４】
前記画像のヘッダには、前記撮像された画像に日付情報が合成されたか否かを識別するための識別情報が付加され、
前記判定手段は、前記識別情報に基づいて前記判定を行うことを特徴とする請求項１３に記載のプリンタ装置。
【請求項１５】
プリンタ装置と接続され、撮像した画像を前記プリンタ装置を制御して印刷可能な画像処理装置の制御方法であって、
画像を撮像手段により撮像する撮像工程と、
前記撮像工程において撮像された画像に前記撮像が行われた日付に関する日付情報を合成するか否かの設定を受け付ける設定受付工程と、
前記受け付けた設定に基づき、前記日付情報を前記撮像手段により撮像された画像に合成する合成工程と、
前記撮像された画像に日付情報が合成されたか否かを識別し前記プリンタ装置の印刷条件を制限するための識別情報を前記受け付けた設定に基づき生成して前記撮像された画像のヘッダに付加する識別情報生成工程と、
前記識別情報が付加されたヘッダを有する画像を前記プリンタ装置へ送信する送信工程と、
を備えることを特徴とする画像処理装置の制御方法。
【請求項１６】
前記識別情報に基づいて前記画像に前記日付情報が合成されたか否かを判定する第１の判定工程と、
前記第１の判定工程において、前記画像に前記日付情報が合成されたと判定された場合に、前記プリンタ装置における前記日付情報の前記画像への合成を抑制するように印刷条件を設定する印刷条件設定工程と
を更に備え、前記送信工程では前記画像と共に前記設定された印刷条件が送信されることを特徴とする請求項１５に記載の画像処理装置の制御方法。
【請求項１７】
前記識別情報に基づいて前記画像に前記日付情報が合成されたか否かを判定する第１の判定工程と、
前記第１の判定工程において、前記画像に前記日付情報が合成されていないと判定された場合に、前記プリンタ装置において前記日付情報を前記画像に合成するか否かについて予め定められた印刷条件を設定する印刷条件設定工程と
を更に備え、前記送信工程では前記画像と共に前記設定された印刷条件が送信されることを特徴とする請求項１５に記載の画像処理装置の制御方法。
【請求項１８】
前記識別情報には、前記画像中で前記日付情報が合成される位置情報が含まれることを特徴とする請求項１５乃至１７のいずれか１項に記載の画像処理装置の制御方法。
【請求項１９】
前記画像の印刷領域の設定を受け付ける印刷領域設定工程と、
前記設定された印刷領域と前記位置情報とに基づいて、前記日付情報が前記設定された印刷領域内に存在するかどうかを判定する第２の判定工程と
を更に備え、
前記第２の判定工程において、前記日付情報が前記設定された印刷領域内に存在すると判定された場合に、前記印刷条件設定工程では前記プリンタ装置における前記日付情報の前記画像への合成が抑制されるように印刷条件を設定することを特徴とする請求項１８に記載の画像処理装置の制御方法。
【請求項２０】
前記画像の印刷領域の設定を受け付ける印刷領域設定工程と、
前記設定された印刷領域と前記位置情報とに基づいて、前記日付情報が前記設定された印刷領域内に存在するかどうかを判定する第２の判定工程と
を更に備え、
前記第２の判定工程において、前記日付情報が前記設定された印刷領域内に存在しないと判定された場合に、前記印刷条件設定工程では前記プリンタ装置における前記日付情報の前記画像への合成するか否かについて予め設定された印刷条件が設定されることを特徴とする請求項１８に記載の画像処理装置の制御方法。
【請求項２１】
撮像した画像を印刷可能な画像処理装置の制御方法であって、
画像を撮像する撮像工程と、
前記撮像工程において撮像された画像に前記撮像が行われた日付に関する日付情報を合成するか否かの設定を受け付ける設定受付工程と、
前記受け付けた設定に基づき、前記日付情報を前記撮像工程において撮像された画像に合成する合成工程と、
前記撮像された画像に日付情報が合成されたか否かを識別し印刷条件を制限するための識別情報を前記受け付けた設定に基づき生成して前記撮像された画像のヘッダに付加する識別情報生成工程と、
前記識別情報が付加されたヘッダを有する画像を印刷する印刷工程と
を備えることを特徴とする画像処理装置の制御方法。
【請求項２２】
前記印刷工程は、
前記識別情報に基づいて前記画像に前記日付情報が合成されたか否かを判定する第１の判定工程を更に備え、
前記第１の判定工程において、前記画像に前記日付情報が合成されたと判定された場合に、前記画像の印刷において前記日付情報の前記画像への合成を抑制することを特徴とする請求項２１に記載の画像処理装置の制御方法。
【請求項２３】
前記印刷工程は、
前記識別情報に基づいて前記画像に前記日付情報が合成されたか否かを判定する第１の判定工程を更に備え、
前記第１の判定工程において、前記画像に前記日付情報が合成されていないと判定された場合に、前記日付情報を前記画像に合成するか否かについて予め定められた印刷条件に従って前記画像の印刷を行うことを特徴とする請求項２１に記載の画像処理装置の制御方法。
【請求項２４】
前記識別情報には、前記画像中で前記日付情報が合成される位置情報が含まれることを特徴とする請求項２１乃至２３のいずれか１項に記載の画像処理装置の制御方法。
【請求項２５】
前記画像の印刷領域の設定を受け付ける印刷領域設定工程と、
前記設定された印刷領域と前記位置情報とに基づいて、前記日付情報が前記設定された印刷領域内に存在するかどうかを判定する第２の判定工程と
を更に備え、
前記印刷工程では、前記第２の判定工程において前記日付情報が前記設定された印刷領域内に存在すると判定された場合に、前記画像の印刷において前記日付情報の前記画像への合成が抑制されることを特徴とする請求項２４に記載の画像処理装置の制御方法。
【請求項２６】
前記画像の印刷領域の設定を受け付ける印刷領域設定工程と、
前記設定された印刷領域と前記位置情報とに基づいて、前記日付情報が前記設定された印刷領域内に存在するかどうかを判定する第２の判定工程と
を更に備え、
前記印刷工程では、前記第２の判定工程において前記日付情報が前記設定された印刷領域内に存在しないと判定された場合に、前記日付情報の前記画像への合成するか否かについて予め設定された印刷条件に従って前記画像の印刷が行われることを特徴とする請求項２４に記載の画像処理装置の制御方法。
【請求項２７】
画像を印刷可能なプリンタ装置の制御方法であって、
前記画像に、前記画像の撮像が行われた日付に関する日付情報が合成されているかを判定する判定工程と、
前記判定工程において前記画像に前記日付情報が合成されたと判定された場合に、前記プリンタ装置における前記日付情報の前記画像への合成を抑制するように印刷条件を設定する印刷条件設定工程と、
前記設定された印刷条件に基づいて印刷を行う印刷工程と
を備えることを特徴とするプリンタ装置の制御方法。
【請求項２８】
前記画像のヘッダには、前記撮像された画像に日付情報が合成されたか否かを識別するための識別情報が付加され、
前記判定工程では、前記識別情報に基づいて判定が行われることを特徴とする請求項２７に記載のプリンタ装置の制御方法。
【請求項２９】
プリンタ装置と接続され、撮像した画像を前記プリンタ装置を制御して印刷可能な画像処理装置の制御方法をコンピュータに実行させるためのコンピュータプログラムであって、前記方法は、
画像を撮像手段により撮像する撮像工程と、
前記撮像工程において撮像された画像に前記撮像が行われた日付に関する日付情報を合成するか否かの設定を受け付ける設定受付工程と、
前記受け付けた設定に基づき、前記日付情報を前記撮像手段により撮像された画像に合成する合成工程と、
前記撮像された画像に日付情報が合成されたか否かを識別し前記プリンタ装置の印刷条件を制限するための識別情報を前記受け付けた設定に基づき生成して前記撮像された画像のヘッダに付加する識別情報生成工程と、
前記識別情報が付加されたヘッダを有する画像を前記プリンタ装置へ送信する送信工程と、
を備えることを特徴とするコンピュータプログラム。
【請求項３０】
撮像した画像を印刷可能な画像処理装置の制御方法をコンピュータに実行させるためのコンピュータプログラムであって、前記方法は、
画像を撮像する撮像工程と、
前記撮像工程において撮像された画像に前記撮像が行われた日付に関する日付情報を合成するか否かの設定を受け付ける設定受付工程と、
前記受け付けた設定に基づき、前記日付情報を前記撮像工程において撮像された画像に合成する合成工程と、
前記撮像された画像に日付情報が合成されたか否かを識別し印刷条件を制限するための識別情報を前記受け付けた設定に基づき生成して前記撮像された画像のヘッダに付加する識別情報生成工程と、
前記識別情報が付加されたヘッダを有する画像を印刷する印刷工程と
を備えることを特徴とするコンピュータプログラム。
【請求項３１】
画像を印刷可能なプリンタ装置の制御方法をコンピュータに実行させるためのコンピュータプログラムであって、前記方法は、
前記画像に、前記画像の撮像が行われた日付に関する日付情報が合成されているかを判定する判定工程と、
前記判定工程において前記画像に前記日付情報が合成されたと判定された場合に、前記プリンタ装置における前記日付情報の前記画像への合成を抑制するように印刷条件を設定する印刷条件設定工程と、
前記設定された印刷条件に基づいて印刷を行う印刷工程と
を備えることを特徴とするコンピュータプログラム。
【請求項３２】
請求項２９に記載のコンピュータプログラムを記憶したコンピュータで読取可能な記憶媒体。
【請求項３３】
請求項３０に記載のコンピュータプログラムを記憶したコンピュータで読取可能な記憶媒体。
【請求項３４】
請求項３１に記載のコンピュータプログラムを記憶したコンピュータで読取可能な記憶媒体。
【手続補正２】
【補正対象書類名】明細書
【補正対象項目名】０００７
【補正方法】変更
【補正の内容】
【０００７】
上記課題を解決する本発明は、プリンタ装置と接続され、撮像した画像を前記プリンタ装置を制御してプリント可能な画像処理装置であって、画像を撮像する撮像手段と、前記撮像手段により撮像された画像に前記撮像が行われた日付に関する日付情報を合成するか否かの設定を受け付ける設定受付手段と、前記受け付けた設定に基づき、前記日付情報を前記撮像手段により撮像された画像に合成する合成手段と、前記撮像された画像に日付情報が合成されたか否かを識別し前記プリンタ装置の印刷条件を制限するための識別情報を前記受け付けた設定に基づき生成して前記撮像された画像のヘッダに付加する識別情報生成手段と、前記識別情報が付加されたヘッダを有する画像を前記プリンタ装置へ送信する送信手段と、を備えることを特徴とする。
【手続補正３】
【補正対象書類名】明細書
【補正対象項目名】０００８
【補正方法】変更
【補正の内容】
【０００８】
上記課題を更に解決するための本発明は、撮像した画像をプリント可能な画像処理装置であって、画像を撮像する撮像手段と、前記撮像手段により撮像された画像に前記撮像が行われた日付に関する日付情報を合成するか否かの設定を受け付ける設定受付手段と、前記受け付けた設定に基づき、前記日付情報を前記撮像手段により撮像された画像に合成する合成手段と、前記撮像された画像に日付情報が合成されたか否かを識別し印刷条件を制限するための識別情報を前記受け付けた設定に基づき生成して前記撮像された画像のヘッダに付加する識別情報生成手段と、前記識別情報が付加されたヘッダを有する画像をプリントするプリント手段とを備えることを特徴とする。
【手続補正４】
【補正対象書類名】明細書
【補正対象項目名】０００９
【補正方法】変更
【補正の内容】
【０００９】
上記課題を更に解決するための本発明は、画像を印刷可能なプリンタ装置であって、前記画像に、前記画像の撮像が行われた日付に関する日付情報が合成されているかを判定する判定手段と、前記判定手段において前記画像に前記日付情報が合成されたと判定された場合に、前記プリンタ装置における前記日付情報の前記画像への合成を抑制するように印刷条件を設定する印刷条件設定手段と、前記設定された印刷条件に基づいて印刷を行う印刷手段とを備えることを特徴とする。